(57)【要約】【課題】  床磨き機（ポリッシャー）に取り付ける飛散防止装置を安価に提供する。【解決手段】  ブラシカバーＣの周側面をほぼ囲む長さを有し、ブラシカバーＣから露出している回転ブラシＢの高さよりも長い幅を有し、かつ所定の厚さを有する可撓性のカバー本体２を形成する。このカバー本体２の一方の短辺から長手方向と同方向の外側に伸びた連結片４Ａ，４Ｂを設け、カバー本体２の短辺の他辺側に設けた係合部１０に係止するよう連結片４Ａ，４Ｂの先端側に係止部９を設ける。カバー本体２の長手方向の一辺から外方に向けて伸び、所定の幅及び長さを有する係止取付片３をカバー本体２に連結するとともに、ブラシカバーＣに設けてある取っ手Ｔに係止する係止開口６を係止取付片３に設ける。【選択図】      図１
0003102735.tif 000002
【実用新案登録請求の範囲】
【請求項１】
洗浄液を供給しながら円盤状の回転ブラシを回転させて床磨きを行う床磨き機に用いられる飛散防止装置であって、回転ブラシの上面側及びこの回転ブラシの回転駆動機構を覆うブラシカバーの側面をほぼ囲む長さを有するとともに、そのブラシカバーから露出している回転ブラシの高さより少し長い幅を有し、かつ所定の厚さを有する可撓性のカバー本体と、カバー本体の一方の短辺からこのカバー本体の長手方向と同方向で、かつ外側に向けて伸びて設けられる連結片と、カバー本体の他方の短辺側に設けられている係合部に係止されるよう連結片の先端側に設けられた係止部と、カバー本体の長手方向の一辺の所定位置からこの一辺方向と直交する外方に向けて伸びて設けられて所定の幅及び長さを有するとともに、所定の厚さを有する係止取付片と、ブラシカバーに設けられている取っ手に係止されるよう係止取付片に設けられた係止開口と、からなることを特徴とする飛散防止装置。
【請求項２】
請求項１に記載の飛散防止装置において、連結片は、カバー本体の短辺の両端側にそれぞれ設けられていることを特徴とする飛散防止装置。
【請求項３】
請求項２に記載の飛散防止装置において、カバー本体がブラシカバーに巻回して取り付けられたときのブラシカバー側に位置する連結片に設けられる係止部及びこの係止部に対応したそのカバー本体に設けられる係合部は、一つの係止部に対してそのカバー本体の長手方向に沿って所定の間隔を保って設けられた複数の係合部、又は一つの係合部に対してその連結片の長手方向に沿って所定の間隔を保って設けられる複数の係止部からなることを特徴とする飛散防止装置。
【請求項４】
請求項１ないし３のいずれかに記載の飛散防止装置において、係合部及び係止部は、ホックからなることを特徴とする飛散防止装置。
【請求項５】
請求項１ないし４のいずれかに記載の飛散防止装置において、係止取付片には、カバー本体の付け根部分にそのカバー本体の長手方向と平行する切り込み長孔が設けられていることを特徴とする飛散防止装置。
【請求項６】
請求項１ないし５のいずれかに記載の飛散防止装置において、係止取付片は、カバー本体と別体に構成されて留め具を介して一体化されていることを特徴とする飛散防止装置。
【請求項７】
請求項１ないし６のいずれかに記載の飛散防止装置において、カバー本体は、係止取付片の設けられている側と反対側の辺は凹凸状に形成されていることを特徴とする飛散防止装置。
【考案の詳細な説明】
【技術分野】
【０００１】
本考案は、ビル等の建物の床面に洗浄液を供給しながらブラシを回転させて床磨きを行う床磨き機、いわゆるポリッシャーに取り付けられることで、洗浄液の飛散防止及び洗浄時の周囲物に対する損傷防止等を図ることができるようにした飛散防止装置に関する。
【背景技術】
【０００２】
従来、この種の飛散防止装置は、操作ハンドルの先端に設けられている円盤状の回転ブラシのブラシカバーの上から被せることで回転ブラシの側面を覆うことができるように構成されている（特許文献１）。すなわち、ブラシカバーに上から被せるようにしたこの飛散防止装置は、回転ブラシの上面を覆うとともに減速機付モータからなる回転ブラシの駆動機構を内蔵したブラシカバー（ケーシング）の突出部が挿入される係止開口を有するとともに、回転ブラシの上面側を覆うブラシカバーに載置される支持カバーを有し、この支持カバーの周囲から回転ブラシの側面を覆うように垂下した飛散防止カバーにより構成されている。また、他の従来の飛散防止装置は、ブラシカバーの側面周囲に飛散防止カバーを取り付けるための支持装置を設け、この支持装置に飛散防止カバーを揺動自在に、かつ着脱自在に取り付けられるように構成されている（特許文献２）。
【０００３】
ポリッシャーにこのような飛散防止が取り付けられると、洗浄液の飛散を防止しながら床磨きが行えるとともに、床面から立ち上がっている壁面にポリッシャーが接したときにポリッシャー及び壁面、家具類等を損傷させずに、それらを保護することができる特長がある。
【特許文献１】特開２００２−３６０４８６号公報
【特許文献２】特開２００２−３２５７１２号公報
【考案の開示】
【考案が解決しようとする課題】
【０００４】
しかしながら、上記従来の飛散防止装置のうち、ブラシカバーに上から被せるようにした飛散防止装置は、ブラシカバーを覆う形状を呈しているので、装置が大型化して持ち運びが不便であるとともに、コスト高になる欠点があった。また、ブラシカバーの側面周囲に飛散防止カバーを取り付けるための支持装置を有する飛散防止装置は、支持装置の構造が複雑で、やはりコスト高になる欠点があった。
【０００５】
そこで本考案は、上記欠点を解決するためになされたものであって、その目的は、ポリッシャーに付設されている取っ手に係止させることでポリッシャーに簡単に取り付けることができ、構造が簡単で、かつ持ち運びが容易であり、しかも低コストである飛散防止装置を提供することにある。
【課題を解決するための手段】
【０００６】
上述した課題を解決するため、本考案は、洗浄液を供給しながら円盤状の回転ブラシＢを回転させて床磨きを行う床磨き機に用いられる飛散防止装置１であって回転ブラシＢの上面側及びこの回転ブラシＢの回転駆動機構を覆うブラシカバーＣの側面をほぼ囲む長さを有するとともに、そのブラシカバーＣから露出している回転ブラシＢの高さよりも少し長い幅を有し、かつ所定の厚さを有する可撓性のカバー本体２と、カバー本体２の一方の短辺からこのカバー本体２の長手方向と同方向で、かつ外側に伸びて設けられる連結片４Ａ，４Ｂと、カバー本体２の短辺の他辺側に設けられている係合部１０に係止されるよう連結片４Ａ，４Ｂの先端側に設けられた係止部９と、カバー本体２の長手方向の一辺の所定位置からこの一辺方向と直交する外方に向けて伸びて設けられた、所定の幅及び長さを有するとともに、所定の厚さを有する係止取付片３と、ブラシカバーＣに設けられている取っ手Ｔに係止されるよう係止取付片３に設けられた係止開口６とからなることを特徴としている。
上記構成からなる飛散防止装置１において、係止取付片３の係止開口６がブラシカバーＣの取っ手Ｔに係止されて、カバー本体２が床磨き機ＰのブラシカバーＣに取り付けられる。そして連結片４Ａ，４Ｂの係止部９とカバー本体２に設けられている係合部１０が係合されて飛散防止を担うカバー本体２がブラシカバーＣに巻回状に取り付けられる。
また、本考案に係る飛散防止装置１は、連結片４Ａ，４Ｂは、カバー本体２の短辺の両端側にそれぞれ設けられていることを特徴としている。
そして、本考案に係る飛散防止装置１は、カバー本体２がブラシカバーＣに巻回して取り付けられたときのブラシカバーＣ側に位置する連結片４Ａ，４Ｂに設けられる係止部９及びこの係止部９に対応したそのカバー本体２に設けられる係合部１０は、一つの係止部９に対してそのカバー本体２の長手方向に沿って所定の間隔を保って設けられた複数の係合部１０、又は一つの係合部１０に対してその連結片４Ａ，４Ｂの長手方向に沿って所定の間隔を保って設けられる複数の係止部９からなることを特徴としている。
さらに、本考案に係る飛散防止装置１は、係合部１０及び係止部９は、ホックからなることを特徴としている。
また、本考案に係る飛散防止装置１は、係止取付片３には、カバー本体２の付け根部分にそのカバー本体の長手方向と平行する切り込み長孔７が設けられていることを特徴としている。
そして、本考案に係る飛散防止装置１は、係止取付片３は、カバー本体２と別体に構成されて留め具５を介して一体化されていることを特徴としている。
さらに、本考案に係る飛散防止装置１は、カバー本体２は、係止取付片３の設けられている側と反対側の辺は、凹凸状に形成されていることを特徴としている。
【考案の効果】
【０００７】
本考案に係る飛散防止装置１は、ブラシカバーＣに巻回されるカバー本体２と、ブラシカバーＣに設けられている取っ手Ｔに係止される係止開口６を有する係止取付片３と、カバー本体２をブラシカバーＣに巻回装着させる連結片４Ａ，４Ｂとからなるので、構造がきわめて簡単で安価に製造することができる。また、ブラシカバーＣに設けられている取っ手Ｔに係止取付片３の係止開口６を係止して位置決めできるので取り付けも簡単に行うことができ、さらに、取り付け前の形態も一つの長尺体なので、例えば丸めることでコンパクトになり、持ち運び等の取り扱いが容易である。
【０００８】
また、本考案に係る飛散防止装置１は、二本の連結片４Ａ，４Ｂを有しているので、カバー本体２をブラシカバーＣに巻回状にして容易に取り付けることができる。しかも、この取り付けに際し、二本の連結片４Ａ，４Ｂが床磨き機ＰにおけるハンドルＨとの連結部分である自在継手Ｕ部分を回避してその上下方に位置することでブラシカバーＣ周囲にカバー本体２を巻回状態で確実に装着できる。
【０００９】
そして、本考案に係る飛散防止装置１は、係止部９又は係合部１０が所定の間隔を保って複数個設けられているので、ブラシカバーＣにカバー本体２を取り付けるときの締め付け力、更にはその大小にも対応して調整することができる。
【００１０】
さらに、本考案に係る飛散防止装置１は、係止部９及び係合部１０がフックからなるので、係止部９及び係合部１０を簡単に構成することができる。
【００１１】
また、本考案に係る飛散防止装置１は、係止取付片３の付け根に切り込み長孔７を設けているので、係止取付片３の屈曲が容易となり、係止取付片３をブラシカバーＣに設けられている取っ手Ｔに係止し易くすることができる。
【００１２】
そして、本考案に係る飛散防止装置１は、係止取付片３がカバー本体２と別体なので、カバー本体２の材料の幅を小さくすることができる。
【００１３】
さらに、本考案に係る飛散防止装置１は、カバー本体２は係止取付片３の設けられている側と反対側の辺が凹凸状に形成されているので、床面上に散布される洗浄液がカバー本体２の内外で流動し、床面に対するカバー本体２の移動も容易になる特長がある。
【００１４】
上記課題を解決するための手段及び考案の効果の項における符号は、考案の理解を容易にするためであって、何ら本考案を限定するものではない。
【考案を実施するための最良の形態】
【００１５】
以下、本考案を実施するための最良の形態を図面に基づいて説明する。図１に示されるポリッシャー（床磨き機）Ｐには本考案に係る飛散防止装置１が取り付けられている。このポリッシャーＰは、公知のポリッシャーと同様に、作業員が手にするハンドルＨの先端側に円盤状の回転ブラシＢが設けられている。すなわち、ハンドルＨの先端部は回転ブラシＢの上面及びこの回転ブラシＢを回転駆動する減速機付モータからなる回転駆動機構を覆うブラシカバー（ケーシング）Ｃの側面に自在継手Ｕを介して接続されている。
【００１６】
図中、ＴはブラシカバーＣに設けられていてコ字を伏せた形状を呈した取っ手であり、回転ブラシＢの上面を覆う位置で、かつ自在継手Ｕとは反対側に位置する関係を保って設けられている。また、この取っ手Ｔの長手方向は、ハンドルＨの伸張方向と直交するように設けられている。したがって、ポリッシャーＰはこの取っ手Ｔと自在継手Ｕに近いハンドルＨの部分とを持つことにより容易に持ち運びすることができる。
【００１７】
図２には、ポリッシャーＰに取り付けられる前の状態の正面図が示されていて、これは飛散防止装置１の展開図に相当しており、また、図３は、この図２に示される飛散防止装置１の裏面図を示している。これらの図から明らかなように、この飛散防止装置１は、主として３個の部材、すなわち帯状のカバー本体２、ひれ状の係止取付片３及び一対の連結片４Ａ，４Ｂから構成されている。カバー本体２は、その長さはブラシカバーＣの周囲をほぼ巻回できるように、具体的には、ブラシカバーＣに設けられている自在継手Ｕ近辺を除いたブラシカバーＣをほぼ巻回できる長さに設定されている。そして、このカバー本体２の幅は、ブラシカバーＣの下面から露出している回転ブラシＢの高さよりも少し高く（長く）なるように形成されている。具体的には、その幅は、ブラシカバーＣの下面から露出している回転ブラシＢを覆うとともに、そのブラシカバーＣの周側面を覆うことができるように設定されている（図１及び後述の図４参照）。また、このカバー本体２は、所定の厚さ例えば５ｍｍ程度の厚さを有していて、可撓性の材質例えば合成ゴム材、合成樹脂材等から構成されている。さらに、このカバー本体２の長辺のうちの係止取付片３が設けられていない辺である下縁は、例えば鋸刃状、波形状等のの凹凸状に形成されていて、床面上に散布された洗浄液等がカバー本体２内外で流動し、さらにはカバー本体２が床面を摺動しやすいように工夫されている。
【００１８】
係止取付片３は、カバー本体２の長辺の一方の中央部（図示の例では上辺中央部）に設けられている。この係止取付片３のカバー本体２の長手（長辺）方向の長さは、ブラシカバーＣに設けられている取っ手Ｔの長さよりも少し長く、そして、そのカバー本体２からの長さは、ブラシカバーＣの外周からそのブラシカバーＣの回転駆動機構が内蔵されている空出部までの長さよりも少し短くなるように決められている。なお、図示の例では、係止取付片３のカバー本体２と反対側の辺は、上述の空出部の外周縁に対応した彎曲凹状に抉られるように形成されている。この係止取付片３もカバー本体２と同じ材質で、かつ同じ厚さを有していて、２本の留め具５でカバー本体２に固定されてカバー本体２と一体化されている。なお、この係止取付片３は、１枚の板材からカバー本体２と係止取付片３とを一緒に切り出して完全な形で一体化することも可能である。ただ、上述の例のように、係止取付片３をカバー本体２に留め具５を用いて一体化する方が材料を無駄なく利用することができる。
【００１９】
図中、６は係止取付片３に設けられた係止開口であって、ブラシカバーＣに設けられている取っ手Ｔに係止できるように、カバー本体２の長辺と平行するように開穿した長孔により構成されている。係止取付片３における係止開口６の開口位置は、係止取付片３をカバー本体２への付け根から屈曲させたときにその係止開口６がブラシカバーＣに設けられている取っ手Ｔに係止できるように設定されている。すなわち、係止取付片３における係止開口６の設けられる位置は、係止取付片３のカバー本体２に接する位置（付け根位置）から係止開口６までの距離と、ブラシカバーＣに設けられている取っ手Ｔの中心位置からこの取っ手Ｔの設けられている側のブラシカバーＣの外周線までの距離とが等しくなるように決められている。
【００２０】
また、この係止取付片３には、上述の長孔からなる係止開口６の他にカバー本体２への付け根部分にカバー本体２の長辺と平行した切り込み長孔７が設けられている。この切り込み長孔７は、係止取付片３自体のブラシカバーＣ上縁に沿う屈曲を容易にするために設けられるもので、したがって、図示のような１本のスリットからなる切り込み長孔ではなく、小さいスリットを所定の間隔を保って並べたようなものであってもよい。さらに、係止取付片３は、カバー本体２がブラシカバーＣに巻回された状態でブラシカバーＣに沿って屈曲されるので、つまりカバー本体２が湾曲した状態で屈曲されるので、係止取付片３は屈曲されにくいという性質を有している。このため、図示の例では、切り込み長孔７を設けて屈曲を容易にする以外に、切り込み長孔７が設けられている付け根部分の長さ（カバー本体２と平行する方向の長さ）が係止開口６が設けられている部分よりも短く形成されていて、カバー本体２が湾曲していても屈曲しやすいように工夫されている。
【００２１】
前記一対の連結片４Ａ，４Ｂは、ブラシカバーＣにおける自在継手Ｕ部分を回避して、これの上下に配されることでカバー本体２とともにブラシカバーＣを巻回するように、カバー本体２の一方の短辺の両側からカバー本体２の長手方向（長辺方向）と同方向で、かつ外側に向けて伸びるようにそれぞれ構成されている。そして、これら連結片４Ａ，４Ｂの長さは、カバー本体２がブラシカバーＣに巻回されたときに先端部がカバー本体２の他方の短辺位置よりも少し内側に位置できるように設定されている。これら連結片４Ａ，４Ｂのうち、係止取付片３が設けられている側の連結片４Ａは、カバー本体２と別体に構成されていて、カバー本体２とは留め具８を介して結合されている。また、他方の連結片４Ｂは、カバー本体２と一体的に構成されていて、カバー本体２の長辺の延長上に当る辺には、カバー本体２の下縁に設けられているのと同様の鋸刃状、波形状等の凹凸状に形成されている。この連結片４Ｂも上述の連結片４Ａと同様にカバー本体２と別体にして留め具でカバー本体２と一体化してもよく、さらに、連結片４Ａも、この連結片４Ｂと同様にカバー本体２と一体的に構成してもよい。
【００２２】
図中、９は連結片４Ａ，４Ｂの先端側に設けられた係止部であり、１０は、これら連結片４Ａ，４Ｂが設けられている側と反対側のカバー本体２の短辺側に設けられた係合部であり、これらは、係止部９に設けられた凸起が係合部１０に設けられている凹部に係合して連結片４Ａ，４Ｂをカバー本体２に着脱自在に取付けることができるように構成されている。これら係止部９及び係合部１０は、公知のホックで構成することができる。
【００２３】
また、連結片４Ａに設けられる係止部９は、連結片４Ａの長手方向に沿って所定の間隔を保って複数個（図示の例では２個）設けられている。したがって、これら係止部９に対応したカバー本体２に設けられている係合部１０（図２において上部に位置する係合部１０）に対して係合する係止部９を選択することにより、カバー本体２がブラシカバーＣに巻回装着されたときの締付力を調整することができ、またブラシカバーＣの大小の調整にも対応させることができる。連結片４Ｂに設けられる係止部９は、図示の例では１個であるが、これも複数個とし、ブラシカバーＣにカバー本体２が巻回されたときにカバー本体２が回転ブラシＢの回転に支障を来たさないように調整することができる。なお、連結片４Ａ，４Ｂに係合部１０を設け、カバー本体２側に係止部９も設けてもよい。また、連結片４Ａ，４Ｂとカバー本体２との係合は、上述のホックからなる係止部９及び係合部１０によらず、いわゆる面ファスナーのような他の係合手段とすることもできる。
【００２４】
上記構成からなる飛散防止装置１のポリッシャーＰへの取付け方を図４の断面図を用いて説明する。先ず、カバー本体２が展開された状態で係止取付片３の係止開口６をブラシカバーＣに設けられている取っ手Ｔに係止させる。または、カバー本体２をブラシカバーＣに巻回した後に係止取付片３を屈曲して係止取付片３の係止開口６を取っ手Ｔに係止させる。いずれにしても、係止取付片３の係止開口６を取っ手Ｔに係止することにより、カバー本体２のブラシカバーＣに対する位置決めを行なう。次いで、ポリッシャーＰの自在継手Ｕ部分の上下に配してブラシカバーＣに巻回した連結片４Ａ，４Ｂに設けられている係止部９をカバー本体２に設けられている係合部１０に係合してカバー本体２のブラシカバーＣに対する装着を完了する。なお、ブラシカバーＣをポリッシャーＰから取り外すときは、装着時と逆の作業によって行なうものである。
【００２５】
上述のようにしてカバー本体２が取付けられたポリッシャーＰは、洗浄液（なお、この洗浄液には汚れを除去する洗剤だけではなく床面をコーティングする薬剤等も含めている。）を供給しながら回転ブラシＢを回転すると、カバー本体２により洗浄液の飛散を防止しながら、効率よく床磨きを行うことができる。さらに、床磨き時に壁面、家具類その他に衝接することがあってもカバー本体２が壁面等とブラシカバーＣとの直接の接触を回避させ、壁面等を損傷させないのである。
【図面の簡単な説明】
【００２６】
【図１】本考案に係る飛散防止装置を取付けた床磨き機の斜視図である。
【図２】同じく飛散防止装置を展開したときの正面図である。
【図３】同じく背面図である。
【図４】図２におけるＡ−Ａ線断面図である。
【符号の説明】
【００２７】
Ｐ…床磨き機（ポリッシャー）            Ｈ…ハンドル
Ｂ…回転ブラシ                          Ｃ…ブラシカバー
Ｕ…自在継手                            Ｔ…取っ手
１…飛散防止装置                        ２…カバー本体
３…係止取付片
４Ａ…連結片                            ４Ｂ…連結片
５…留め具                              ６…係止開口
７…切り込み長孔                        ８…留め具
９…係止部                              １０…係合部
【図１】
0003102735.tif 000003
【図２】
0003102735.tif 000004
【図３】
0003102735.tif 000005
【図４】
0003102735.tif 000006